(57)【要約】【課題】入力操作性を向上させる入力装置の提供。【解決手段】「所定機器」としての空調装置４に対して、「制御パラメータ」である空調温度Ｔ及び風量Ｂを入力する入力装置１は、空調温度Ｔ及び風量Ｂを入力するための入力操作を受ける「操作部」としての回転ダイヤル２０と、回転ダイヤル２０に対する入力操作の操作速度に応じて、空調温度Ｔ及び風量Ｂのうち入力対象の「制御パラメータ」を選択し、回転ダイヤル２０に対する入力操作の操作量に応じて当該選択側の「制御パラメータ」を入力する制御回路３とを、備える。【選択図】図１
2014074506.tif 000002
【特許請求の範囲】
【請求項１】
所定機器（４）に対して互いに異なる複数の入力対象の制御パラメータを入力する入力装置であって、
前記制御パラメータを入力するための入力操作を受ける操作部（２０，２０２０，３０２０，４０２０）と、
前記操作部に対する入力操作の操作速度に応じて前記入力対象の前記制御パラメータを選択し、前記操作部に対する入力操作の操作量に応じて当該選択側の前記制御パラメータを入力する制御部（３）とを、備えることを特徴とする入力装置。
【請求項２】
前記操作部は、前記制御パラメータとして相異なる第一及び第二パラメータを入力するための入力操作を受け、
前記制御部は、前記操作速度が閾値（Ｖｔｈ，Ｖｔｈ１，Ｖｔｈ２）を超える高速操作条件が成立した場合に、前記操作量に応じて前記第一パラメータを入力する一方、前記操作速度が閾値以下となる低速操作条件が成立した場合に、前記操作量に応じて前記第二パラメータを入力することを特徴とする入力装置。
【請求項３】
前記第一パラメータは、前記操作量として予測される可変量が前記第二パラメータより大きな前記制御パラメータであることを特徴とする請求項２に記載の入力装置。
【請求項４】
前記制御部による選択側の前記制御パラメータに関する選択側表示を点灯させると共に、前記制御部による非選択側の前記制御パラメータに関する非選択側表示を消灯させる表示部（２３，２４，２０２３，２０２４，４０２３，４０２４，４０２６，４０２８）を、備えることを特徴とする請求項１〜３のいずれか一項に記載の入力装置。
【請求項５】
前記表示部による前記選択側表示は、前記操作部に対する入力操作の操作方向として、前記制御パラメータを選択するのに必要な方向を指し示す矢印表示を、含むことを特徴とする請求項４に記載の入力装置。
【請求項６】
前記制御部は、前記操作部に対する入力操作が特定方向の操作である場合の前記操作速度に応じて、入力対象の前記制御パラメータを選択することを特徴とする請求項１〜５のいずれか一項に記載の入力装置。
【発明の詳細な説明】
【技術分野】
【０００１】
本発明は、入力装置に関する。
【背景技術】
【０００２】
従来、所定機器に対して制御パラメータを入力する入力装置が、知られている。
【０００３】
例えば、特許文献１に開示の入力装置では、ダイヤルノブの回転操作量に応じて制御パラメータを入力している。また、特許文献１に開示の入力装置では、エアコンの風量、設定温度といった複数の制御パラメータを、同じダイヤルノブの操作によって入力するために、シーソーノブの押込操作に応じて入力対象の制御パラメータを選択している。
【先行技術文献】
【特許文献】
【０００４】
【特許文献１】特開２００９−２３４３４３号公報
【発明の概要】
【発明が解決しようとする課題】
【０００５】
しかし、特許文献１に開示の入力装置では、制御パラメータの選択操作と入力操作とを、相異なるノブによって受けている。即ち、制御パラメータの選択から入力に到るまでに、二種類の操作方法を必要としているので、入力操作性の点で望ましくない。
【０００６】
本発明は、以上説明した問題に鑑みてなされたものであって、その目的は、入力操作性を向上させる入力装置を、提供することにある。
【課題を解決するための手段】
【０００７】
本発明は、所定機器（４）に対して互いに異なる複数の入力対象の制御パラメータを入力する入力装置であって、制御パラメータを入力するための入力操作を受ける操作部（２０，２０２０，３０２０，４０２０）と、操作部に対する入力操作の操作速度に応じて入力対象の制御パラメータを選択し、操作部に対する入力操作の操作量に応じて当該選択側の制御パラメータを入力する制御部（３）とを、備えることを特徴とする。
【０００８】
このような特徴によると、操作部に対する入力操作の操作速度に応じて入力対象の制御パラメータが選択されて、同じ操作部に対する入力操作の操作量に応じて当該選択側の制御パラメータが入力される。即ち、制御パラメータの選択から入力に到るまでが一種類の操作方法によって実現され得るので、入力操作性を向上させることが可能となる。
【０００９】
ここで、本発明のさらなる特徴として、操作部は、制御パラメータとして相異なる第一及び第二パラメータを入力するための入力操作を受け、制御部は、操作速度が閾値（Ｖｔｈ，Ｖｔｈ１，Ｖｔｈ２）を超える高速操作条件が成立した場合に、操作量に応じて第一パラメータを入力する一方、操作速度が閾値以下となる低速操作条件が成立した場合に、操作量に応じて第二パラメータを入力する。
【００１０】
この特徴によると、操作量に応じて入力される制御パラメータは、操作速度が閾値を超える高速操作条件が成立した場合と、操作速度が閾値以下となる低速操作条件が成立した場合とにおいて、第一及び第二パラメータの間で切替えられる。これによれば、相異なる第一及び第二パラメータの入力を、閾値に対する操作速度の高低に従って正確に切替えて、入力操作性の向上を図ることが可能となる。
【００１１】
また、本発明のさらなる特徴として、第一パラメータは、操作量として予測される可変量が第二パラメータより大きな制御パラメータである。
【００１２】
この特徴のように操作量として予測される可変量は、一般に大きくなるほど、高い操作速度を生む傾向にある。そこで、操作速度が閾値を超える高速操作条件が成立した場合には、第一及び第二パラメータのうち操作量の予測可変量がより大きな第一パラメータの入力操作に伴って、操作速度が高くなったものとして、当該第一パラメータが入力される。また逆に、操作速度が閾値以下となる低速操作条件が成立した場合には、第一及び第二パラメータのうち操作量の予測可変量がより小さな第二パラメータの入力操作に伴って、操作速度が低くなったものとして、当該第二パラメータが入力される。これらによりユーザは、操作速度に応じて選択される入力対象の制御パラメータを感覚的に認識した状態で、当該選択側の制御パラメータを入力できる。したがって、ユーザに違和感を感じさせることなく、入力操作性の向上を図ることが可能となる。
【図面の簡単な説明】
【００１３】
【図１】第一実施形態による入力装置の概略構成を示すブロック図である。
【図２】第一実施形態による入力装置を示す正面図である。
【図３】第一実施形態による入力装置の制御フローを示すフローチャートである。
【図４】第二実施形態による入力装置を示す正面図である。
【図５】第三実施形態による入力装置を示す正面図である。
【図６】第四実施形態による入力装置の概略構成を示すブロック図である。
【図７】第四実施形態による入力装置を示す斜視図である。
【図８】第四実施形態による入力装置の表示パネルを示す正面図である。
【図９】第四実施形態による入力装置の制御フローを示すフローチャートである。
【図１０】図２の変形例を示す正面図である。
【図１１】図４の変形例を示す正面図である。
【発明を実施するための形態】
【００１４】
以下、本発明の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００１５】
（第一実施形態）
図１に示すように、本発明の第一実施形態による入力装置１は、制御パネル２及び制御回路３を備え、「所定機器」に対して「制御パラメータ」を入力するために操作される。本実施形態において装置１の適用される「所定機器」は、車両用空調装置４であり、例えば内外気切替装置や、吸熱用熱交換器、放熱用熱交換器、圧縮機、送風機、エアミックスドア、各種吹出しドア等を備えている。車両用空調装置４は、車室内における空調空気の温度Ｔ（以下、「空調温度Ｔ」という）及び車室内に送られる空調空気の量Ｂ（以下、「風量Ｂ」という）を、「制御パラメータ」として制御する。ここで空調温度Ｔは、例えば２０〜３０℃の設定範囲内において、調整可能となっている。また、風量Ｂは、例えば最小風量及び最大風量の間を８つに分割した設定段階にて、調整可能となっている。
【００１６】
図１，２に示すように制御パネル２は、「操作部」としての回転ダイヤル２０と、インジケータ２１，２２と、「表示部」としてのガイドバー２３，２４とを有し、車室内前方のインストルメントパネルに設置されている。
【００１７】
回転ダイヤル２０は、運転席側における空調温度Ｔ及び風量Ｂの入力用と、助手席側における空調温度Ｔ及び風量Ｂの入力用とで、それぞれ一つずつ設けられている。回転ダイヤル２０において円筒状に形成されるダイヤル部材２０ａは、ユーザの手指によって時計方向及び反時計方向に回転操作可能となっている。したがって、本実施形態では、対応する席側の空調温度Ｔ及び風量Ｂを入力するために回転ダイヤル２０に対してユーザが行う入力操作として、ダイヤル部材２０ａの回転操作が採用されている。即ち回転ダイヤル２０は、相異なる空調温度Ｔ及び風量Ｂの入力操作を、受けるのである。
【００１８】
ここで空調温度Ｔは、回転ダイヤル２０に対する一回の入力操作では、上記調整範囲のうち例えば３〜４℃の範囲で変化させることが通常であるので、当該一回の入力操作の操作量として予測される可変量（即ち、ダイヤル部材２０ａの回転角度）は、比較的小さくなる。これに対して風量Ｂは、回転ダイヤル２０に対する一回の入力操作によって、上記設定段階のうち最小風量から最大風量まで変化させることがあるので、当該一回の入力操作の操作量として予測される可変量（即ち、ダイヤル部材２０ａの回転角度）は、空調温度Ｔの場合よりも大きくなる。以上より本実施形態では、風量Ｂが「第一パラメータ」に相当し、空調温度Ｔが「第二パラメータ」に相当している。
【００１９】
回転ダイヤル２０において回転センサ２０ｂは、例えば回転位置センサ、回転速度センサ、回転角速度センサ、又は回転角加速度センサ等であり、ダイヤル部材２０ａの回転を検出する。回転センサ２０ｂは、検出結果を表す信号を出力する。
【００２０】
温度インジケータ２１は、運転席側における空調温度Ｔの表示用と、助手席側における空調温度Ｔの表示用とで、それぞれ一つずつ設けられている。温度インジケータ２１は、例えば液晶パネル２１ａ及びバックライト２１ｂを組み合わせてなる。温度インジケータ２１は、回転ダイヤル２０の内周側に空調温度Ｔを、数字によってデジタル表示する。この温度インジケータ２１によるデジタル表示は、車両のアクセサリ電源がオン状態にある場合に、常に実行される。
【００２１】
風量インジケータ２２は、運転席側における風量Ｂの表示用と、助手席側における風量Ｂの表示用とで、それぞれ一つずつ設けられている。風量インジケータ２２は、例えば透光部２２ａ及びＬＥＤ光源２２ｂを組み合わせてなる。風量インジケータ２２は、透光部２２ａの点灯数に対応する風量Ｂの段階を、回転ダイヤル２０の外周側に表示する。この風量インジケータ２２による段階表示は、アクセサリ電源がオン状態にある場合に、常に実行される。
【００２２】
温度ガイドバー２３は、運転席側における空調温度Ｔの入力案内用と、助手席側における空調温度Ｔの入力案内用とで、それぞれ一ずつ設けられている。温度ガイドバー２３は、例えば透光部２３ａ及びＬＥＤ光源２３ｂを組み合わせてなる。温度ガイドバー２３は、空調温度Ｔの選択に際して必要な回転ダイヤル２０の操作方向双方（即ち、時計方向及び反時計方向）を、同ダイヤル２０の外周側にて点灯させた矢印表示により指し示す。このような温度ガイドバー２３は、アクセサリ電源がオン状態にある場合に、風量Ｂの入力中を除いて常に点灯する。即ち、温度ガイドバー２３は、アクセサリ電源がオン状態にある場合に、空調温度Ｔの入力中等には点灯し、風量Ｂの入力中だけ消灯することになる。
【００２３】
風量ガイドバー２４は、運転席側における風量Ｂの入力案内用と、助手席側における風量Ｂの入力案内用とで、それぞれ一ずつ設けられている。風量ガイドバー２４は、例えば透光部２４ａ及びＬＥＤ光源２４ｂを組み合わせてなる。風量ガイドバー２４は、風量Ｂの選択に際して必要な回転ダイヤル２０の操作方向双方（即ち、時計方向及び反時計方向）を、同ダイヤル２０の外周側にて点灯させた矢印表示により指し示す。このような風量ガイドバー２４は、車両のアクセサリ電源がオン状態にある場合に、空調温度Ｔの入力中を除いて常に点灯する。即ち、風量ガイドバー２４は、アクセサリ電源がオン状態にある場合に、風量Ｂの入力中等には点灯し、空調温度Ｔの入力中だけ消灯することになる。尚、本実施形態では、上述の如き予測可変量の大きな風量Ｂに関する風量ガイドバー２４は、当該予測可変量の小さな空調温度Ｔに関する温度ガイドバー２３よりも、全長の長い矢印表示を実現している。
【００２４】
図１に示す「制御部」としての制御回路３は、例えばＣＰＵ及びメモリ等を備えたマイクロコンピュータを主体に、構成されている。制御回路３は、上述した電装要素２０ｂ，２１ａ，２１ｂ，２２ｂ，２３ｂ，２４ｂ及び空調装置４に対して、通信可能に接続されている。かかる接続により制御回路３は、回転センサ２０ｂの出力信号を受けながら、インジケータ２１，２２及びガイドバー２３，２４の各表示（点消灯）と、空調装置４に対する空調温度Ｔ及び風量Ｂの入力とを制御する。
【００２５】
ここで、本実施形態の制御回路３は特に、入力制御処理を実行する。この入力制御処理では、回転ダイヤル２０に対する入力操作の操作速度を、回転センサ２０ｂの出力信号に基づき取得して、空調温度Ｔ及び風量Ｂのうち当該操作速度に応じた一方を、回転ダイヤル２０による入力対象として選択する。さらに入力制御処理では、回転ダイヤル２０に対する入力操作の操作量を、回転センサ２０ｂの出力信号に基づき取得して、空調温度Ｔ及び風量Ｂのうち選択した一方を、当該操作量に応じて空調装置４に入力する。このとき入力制御処理では、ガイドバー２３，２４のうち選択側の風量Ｂ又は空調温度Ｔに対応する一方を点灯させる一方、ガイドバー２３，２４のうち非選択側の空調温度Ｔ又は風量Ｂに対応する他方を消灯させる。
【００２６】
以下、運転席側における空調温度Ｔ及び風量Ｂの入力に関して、制御回路３がコンピュータプログラムの実行によって実施する入力制御処理の制御フローを、図３を参照しつつ説明する。尚、助手席側における空調温度Ｔ及び風量Ｂの入力に関する制御フローは、図３の制御フローと実質同一であるため、説明を割愛する。
【００２７】
制御フローのＳ１０１では、温度ガイドバー２３及び風量ガイドバー２４の双方を点灯させる初期モードを、実行する。次にＳ１０２では、回転ダイヤル２０に対していずれかの操作方向への入力操作を検出したか否かを、判定する。入力操作が検出されない間は、Ｓ１０１，Ｓ１０２を繰り返し、入力操作が検出されると、Ｓ１０３へと移行する。
【００２８】
Ｓ１０３では、回転ダイヤル２０に対する入力操作の操作速度が閾値Ｖｔｈを超える高速操作条件と、操作速度が閾値Ｖｔｈ以下となる低速操作条件とのうち、いずれが成立したかを判定する。その結果、成立条件が高速操作条件である場合には、Ｓ１０４へ移行する一方、成立条件が低速操作条件である場合には、Ｓ１０９へ移行する。尚、例えば閾値Ｖｔｈは、空調温度Ｔ及び風量Ｂの各々の入力操作に関して予測される操作速度等を考慮して、予設定されている。
【００２９】
ここでまず、高速操作条件の成立によって移行するＳ１０４及びその後続のＳ１０５〜Ｓ１０８について、説明する。
【００３０】
Ｓ１０４では、回転ダイヤル２０による入力対象として風量Ｂを選択する風量入力モードを、開始する。続くＳ１０５では、選択側の風量Ｂに関する「選択側表示」として風量ガイドバー２４を点灯させると共に、非選択側の空調温度Ｔに関する「非選択側表示」として温度ガイドバー２３を消灯させる。
【００３１】
また続くＳ１０６では、回転ダイヤル２０に対する入力操作の操作量（回転ダイヤル２０の回転角度）に応じた段階となるように、風量Ｂを空調装置４に対して入力する。さらにＳ１０７では、回転ダイヤル２０に対する入力操作は停止したか否かを、回転センサ２０ｂの出力信号に基づき判定する。その結果、入力操作が停止していない間は、Ｓ１０６，Ｓ１０７を繰り返し、入力操作が停止すると、Ｓ１０８へ移行する。
【００３２】
Ｓ１０８では、回転ダイヤル２０に対する入力操作が設定期間Ｐ内に再開されたか否かを、判定する。その結果、入力操作が再開された場合には、Ｓ１０６へ戻る一方、入力操作が再開されない場合には、風量入力モードを終了してＳ１０１の初期モードへ戻ることになる。尚、例えば設定期間Ｐは、入力中のユーザが誤って手指をダイヤル部材２０ａから離してしまった場合でも、再度ダイヤル部材２０ａを摘んで入力を再開するまでに通常要する時間等を考慮して、予め設定されている。
【００３３】
以上に対して、低速操作条件の成立によって移行するＳ１０９及びその後続のＳ１１０〜Ｓ１１３について、説明する。
【００３４】
Ｓ１０９では、入力対象として空調温度Ｔを選択する温度入力モードを、開始する。続くＳ１１０では、選択側の空調温度Ｔに関する「選択側表示」として温度ガイドバー２３を点灯させると共に、非選択側の風量Ｂに関する「非選択側表示」として風量ガイドバー２４を消灯させる。
【００３５】
また続くＳ１１１では、入力操作の操作量に応じた値となるように、空調温度Ｔを空調装置４に対して入力する。さらにＳ１１２では、入力操作は停止したか否かを、回転センサ２０ｂの出力信号に基づき判定する。その結果、入力操作が停止していない間は、Ｓ１１１，Ｓ１１２を繰り返し、入力操作が停止すると、Ｓ１１３へ移行する。
【００３６】
Ｓ１１３では、入力操作が設定期間Ｐ内に再開されたか否かを、判定する。その結果、入力操作が再開された場合には、Ｓ１１１へ戻る一方、入力操作が再開されない場合には、温度入力モードを終了してＳ１０１の初期モードへ戻ることになる。
【００３７】
以上説明した第一実施形態によると、回転ダイヤル２０に対する入力操作の操作速度に応じて入力対象の「制御パラメータ」が風量Ｂ及び空調温度Ｔのうちから選択されて、同じダイヤル２０に対する入力操作の操作量に応じて当該選択側の「制御パラメータ」が入力される。即ち、「制御パラメータ」の選択から入力に到るまでが一種類の操作方法によって実現され得るので、入力操作性を向上させることが可能となる。
【００３８】
ここで、特に第一実施形態によると、操作量に応じて入力される「制御パラメータ」は、操作速度が閾値Ｖｔｈを超える高速操作条件が成立した場合と、操作速度が閾値Ｖｔｈ以下となる低速操作条件が成立した場合とにおいて、風量Ｂ及び空調温度Ｔの間で切替えられる。これによれば、相異なる風量Ｂ及び空調温度Ｔの入力を、閾値Ｖｔｈに対する操作速度の高低に従って正確に切替えて、入力操作性の向上を図ることが可能となるのである。
【００３９】
また、第一実施形態のように、回転ダイヤル２０の操作量として予測される可変量は、一般に大きくなるほど、高い操作速度を生む傾向にある。そこで、操作速度が閾値Ｖｔｈを超える高速操作条件が成立した場合には、風量Ｂ及び空調温度Ｔのうち操作量の予測可変量がより大きな風量Ｂの入力操作に伴って、操作速度が高くなったものとして、当該風量Ｂが入力される。また逆に、操作速度が閾値Ｖｔｈ以下となる低速操作条件が成立した場合には、風量Ｂ及び空調温度Ｔのうち操作量の予測可変量がより小さな空調温度Ｔの入力操作に伴って、操作速度が低くなったものとして、当該空調温度Ｔが入力される。これらによりユーザは、風量Ｂ及び空調温度Ｔのうち、操作速度に応じて選択される入力対象の「制御パラメータ」を感覚的に認識した状態で、当該選択側の「制御パラメータ」を入力できる。したがって、ユーザに違和感を感じさせることなく、入力操作性の向上を図ることが可能となる。
【００４０】
さらに第一実施形態によると、操作速度に応じて入力対象の「制御パラメータ」が選択されると、ガイドバー２３，２４のうち、選択側の「制御パラメータ」に関する「選択側表示」として一方が点灯すると共に、非選択側の「制御パラメータ」に関する「非選択側表示」として他方が消灯する。これによりユーザは、消灯状態の「非選択側表示」には意識することなく、点灯状態の「選択側表示」を視認することで、入力対象を正確に把握しながら、当該入力対象の「制御パラメータ」を入力できる。したがって、入力対象の誤認による入力ミスの回避が可能となる。
【００４１】
またさらに第一実施形態によると、操作速度に応じて入力対象の「制御パラメータ」が選択されると、ガイドバー２３，２４のうち、「選択側表示」として点灯する一方の矢印表示によって、「制御パラメータ」の選択に必要な操作方向が指し示される。これによりユーザは、点灯状態のガイドバー２３，２４の矢印表示を視認することで、「制御パラメータ」の選択に必要な操作方向を直感的に把握しながら、当該選択を実行できる。したがって、操作方向の誤認による入力ミスの回避が可能となる。
【００４２】
加えて、第一実施形態のように、空調温度Ｔ及び風量Ｂを共通の回転ダイヤル２０で入力できることによれば、当該入力に必要な部材を減らして、装置１の省スペース化並びに小型化に貢献することも可能である。
【００４３】
（第二実施形態）
図４に示すように、本発明の第二実施形態は第一実施形態の変形例である。第二実施形態では、運転席側における空調温度Ｔ及び風量Ｂと、助手席側における空調温度Ｔ及び風量Ｂとが、共通の一つの回転ダイヤル２０２０によって入力可能となっている。温度イジケータ２０２１及び風量インジケータ２０２２は、運転席側及び助手席側のいずれの表示用も回転ダイヤル２０２０の外周側に設けられる以外は、それぞれ第一実施形態の温度インジケータ２１及び風量インジケータ２２と同様である。また、「表示部」としての温度ガイドバー２０２３及び風量ガイドバー２０２４は、運転席側及び助手席側のいずれの表示用も回転ダイヤル２０２０の外周側に設けられ且つ操作方向のうち「制御パラメータ」の選択に必要な「特定方向」のみを矢印表示で指し示している以外は、それぞれ第一実施形態の温度ガイドバー２３及び風量ガイドバー２４と同様である。尚、運転席側表示用のガイドバー２０２３，２０２４は、操作方向のうち時計方向のみを「特定方向」として、矢印表示をしている一方、助手席側表示用のガイドバー２０２３，２０２４は、操作方向のうち反時計方向のみを「特定方向」として、矢印表示をしている。
【００４４】
このような第二実施形態では、運転席側の入力に関する制御フローにおいてＳ１０２の判定は、「特定方向」である時計方向への入力操作を検出したか否かによって、行われる。また一方、助手席側の入力に関する制御フローにおいてＳ１０２の判定は、「特定方向」である反時計方向への入力操作を検出したか否かによって、行われる。但し、運転席側の入力に関する制御フローにおいても、助手席側の入力に関する制御フローにおいても、「制御パラメータ」の選択後となるＳ１０６〜Ｓ１０８，Ｓ１１１〜Ｓ１１３にてモニタされる入力操作の操作方向は、「特定方向」は勿論、その反対方向であってもよい。
【００４５】
以上説明した第二実施形態によっても、第一実施形態と同様の作用効果を発揮できる。しかも第二実施形態によると、操作速度に応じた入力対象の「制御パラメータ」の選択は、回転ダイヤル２０２０に対する入力操作が「特定方向」の操作の場合に制限されることになるので、当該「特定方向」以外の意図しない操作によって誤入力が生じる事態を回避できる。これによれば、運転席側と助手席側とで回転ダイヤル２０２０を共通化した場合にあっても、入力操作性の向上と共に、フェイルセーフ性の向上を図ることが可能となる。
【００４６】
（第三実施形態）
図５に示すように、本発明の第三実施形態は第一実施形態の変形例である。第三実施形態では、運転席側及び助手席側の区別なく、それら両側における空調温度Ｔ及び風量Ｂが、一つの回転ダイヤル３０２０によって入力可能となっている。また、それに応じて第三実施形態の制御フローも、運転席側及び助手席側の区別なく、第一実施形態と同様に実施されることになる。したがって、第三実施形態によっても、第一実施形態と同様の作用効果を発揮できるのである。
【００４７】
（第四実施形態）
図６に示すように、本発明の第四実施形態は第三実施形態の変形例である。第四実施形態では、空調温度Ｔ及び風量Ｂに加え、車室内に送られる空調空気の向きＤ（以下、「風向きＤ」という）も、「制御パラメータ」として制御する。ここで風向きＤは、例えば顔方向、足元方向、及びそれら両方向といった三種類の設定方向に、調整可能となっている。それと共に風向きＤは、回転ダイヤル４０２０（後に詳述）への一回の入力操作では、上記設定方向のうち現在の方向を除く残りの方向に変化させることが通常であるので、当該一回の入力操作の操作量として予測される可変量（即ち、回転ダイヤル４０２０のダイヤル部材２０ａの回転角度）は、第一実施形態で説明した空調温度Ｔの場合よりも小さくなっている。
【００４８】
さらに、図６，７に示すように第四実施形態では、「操作部」としての回転ダイヤル４０２０と、「表示部」としての表示パネル４０２８とが、制御パネル２の代わりに設けられている。回転ダイヤル４０２０は、車室内中央のセンターコンソールに設置され且つ運転席側及び助手席側の両側における空調温度Ｔ、風量Ｂ及び風向きＤを入力可能であること以外は、第一実施形態で説明した回転ダイヤル２０と同様である。
【００４９】
図６〜８に示すように表示パネル４０２８は、例えば液晶パネル４０２８ａ及びバックライト４０２８ｂ等を組み合わせてなり、車室内前方のインストルメントパネルに設置されている。表示パネル４０２８は、図８に示す如き風向きインジケータ４０２５及び風向きガイドバー４０２６を、それぞれカラー画像により表示する。風向きインジケータ４０２５は、点灯した風向き画像４０２５ａによって、対応する風向きＤを表示する。この風向きインジケータ４０２５による表示は、アクセサリ電源がオン状態にある場合に、常に実行される。
【００５０】
風向きガイドバー４０２６は、例えば赤色に点灯させた円弧形画像４０２６ａ中の矢印画像４０２６ｂを矢印表示として、風向きＤの選択に必要な回転ダイヤル４０２０の操作方向双方（即ち、時計方向及び反時計方向）を指し示している。このような風向きガイドバー４０２６は、車両のアクセサリ電源がオン状態にある場合に、空調温度Ｔ及び風量Ｂの入力中を除いて常に点灯する。即ち、風向きガイドバー４０２６は、アクセサリ電源がオン状態にある場合に、風向きＤの入力中等には点灯し、空調温度Ｔ及び風量Ｂの入力中だけ消灯することになる。
【００５１】
以上に加えて表示パネル４０２８は、温度インジケータ４０２１、風量インジケータ４０２２、温度ガイドバー４０２３及び風量ガイドバー４０２４を、それぞれカラー画像により表示する。
【００５２】
ここで特に、風量インジケータ４０２２は、セル画像４０２２ａの点灯数によって、風量Ｂの段階を表示する。温度ガイドバー４０２３は、例えば青色に点灯させた円弧形画像４０２３ａ中の矢印画像４０２３ｂを矢印表示として、空調温度Ｔの選択に必要な操作方向双方を指し示しており、風量Ｂ及び風向きＤの入力中を除いて常に点灯する。風量ガイドバー４０２４は、例えば緑色に点灯させた円弧形画像４０２４ａ中の矢印画像４０２４ｂを矢印表示として、風量Ｂの選択に必要な操作方向双方を指し示しており、空調温度Ｔ及び風向きＤの入力中を除いて常に点灯する。尚、本実施形態の円弧形画像４０２３ａ，４０２４ａ，４０２６ａは、表示パネル４０２８の左下角部を中心としたとき、対応する「制御パラメータ」の予測可変量が大きな順に半径が増大するように、表示されている。また、以上説明した点を除いてインジケータ４０２１，４０２２及びガイドバー４０２３，４０２４は、第一実施形態で説明したインジケータ２１，２２及びガイドバー２３，２４のうち対応するものと同様である。
【００５３】
このような第四実施形態の図９に示す制御フローにおいて、Ｓ１０１に代わるＳ４１０１では、温度ガイドバー４０２３と風量ガイドバー４０２４と風向きガイドバー４０２６の全てを点灯させる初期モードを、実行する。また、Ｓ１０３に代わるＳ４１０３では、操作速度が第一閾値Ｖｔｈ１を超える第一操作条件と、操作速度が第二閾値Ｖｔｈ２を超え且つ第一閾値Ｖｔｈ１以下となる第二操作条件と、操作速度が第二閾値Ｖｔｈ２以下となる第三操作条件とのうち、いずれが成立したかを判定する。その結果、成立条件が第一操作条件である場合には、Ｓ１０４へ移行し、成立条件が第二操作条件である場合には、Ｓ１０９へ移行し、成立条件が第三操作条件である場合には、Ｓ４１１４へ移行する。
【００５４】
第一操作条件の成立によって移行するＳ１０４及びその後続ステップのうち、Ｓ１０５に代わるＳ４１０５では、選択側の風量Ｂに関する「選択側表示」として風量ガイドバー４０２４を点灯させると共に、非選択側の空調温度Ｔ及び風向きＤに関する「非選択側表示」として温度ガイドバー４０２３及び風向きガイドバー４０２６を消灯させる。
【００５５】
また、第二操作条件の成立によって移行するＳ１０９及びその後続ステップのうち、Ｓ１１０に代わるＳ４１１０では、選択側の空調温度Ｔに関する「選択側表示」として温度ガイドバー４０２３を点灯させると共に、非選択側の風量Ｂ及び風向きＤに関する「非選択側表示」として風量ガイドバー４０２４及び風向きガイドバー４０２６を消灯させる。
【００５６】
さらに、第三操作条件の成立によって移行するＳ４１１４及びその後続のＳ４１１５〜Ｓ４１１８について、以下に説明する。
【００５７】
まず、Ｓ４１１４では、入力対象として風向きＤを選択する風向き入力モードを、開始する。続くＳ４１１５では、選択側の風向きＤに関する「選択側表示」として風向きガイドバー４０２６を点灯させると共に、非選択側の空調温度Ｔ及び風量Ｂに関する「非選択側表示」として温度ガイドバー４０２３及び風量ガイドバー４０２４を消灯させる。
【００５８】
また続くＳ４１１６では、入力操作の操作量に応じた方向となるように、風向きＤを空調装置４に対して入力する。さらにＳ４１１７では、入力操作は停止したか否かを、回転センサ２０ｂの出力信号に基づき判定する。その結果、入力操作が停止していない間は、Ｓ４１１６，Ｓ４１１７を繰り返し、入力操作が停止すると、Ｓ４１１８へ移行する。
【００５９】
Ｓ４１１８では、入力操作が設定期間Ｐ内に再開されたか否かを、判定する。その結果、入力操作が再開された場合には、Ｓ４１１６へ戻る一方、入力操作が再開されない場合には、風向き入力モードを終了してＳ１０１の初期モードへ戻ることになる。
【００６０】
以上説明した第四実施形態では、風量Ｂが「第一パラメータ」且つ空調温度Ｔが「第二パラメータ」に相当すると考えた場合には、第一操作条件が「高速操作条件」且つ第二操作条件が「低速操作条件」に相当する。あるいはまた、第四実施形態では、空調温度Ｔが「第一パラメータ」且つ風向きＤが「第二パラメータ」に相当すると考えた場合には、第二操作条件が「高速操作条件」且つ第三操作条件が「低速操作条件」に相当する。したがって、第四実施形態によっても、第一実施形態で説明したものと同様の作用効果を発揮できのである。
【００６１】
（他の実施形態）
以上、本発明の複数の実施形態について説明したが、本発明は、それらの実施形態に限定して解釈されるものではなく、本発明の要旨を逸脱しない範囲内において種々の実施形態及び組み合わせに適用することができる。
【００６２】
具体的に、第一〜第四実施形態に関する変形例１では、「操作部」として、回転ダイヤル２０，２０２０，３０２０，４０２０以外を採用してもよく、例えばチルトスイッチ、、スライドスイッチや、タッチパネル等の各種入力デバイスを採用可能である。尚、「操作部」としてタッチパネルを採用する場合において、「入力操作の操作速度」とは、例えば手指によるピンチ操作の速度や、手指を打ち続ける速度等となる。
【００６３】
また、第一〜第四実施形態に関する変形例２では、閾値Ｖｔｈ，Ｖｔｈ１，Ｖｔｈ２に対する操作速度と、選択される「制御パラメータ」との関係を、説明のものとは異ならせてもよい。さらに、第一、第三及び第四実施形態に関する変形例３では、第二実施形態に準じてガイドバー２３，２４，４０２３，４０２４，４０２６の矢印表示を、操作方向のうち、図１０に示すように「特定方向」のみを指し示すものとしてもよい。尚、図１０は、第一実施形態に関する変形例３を示している。
【００６４】
またさらに、第一〜第四実施形態に関する変形例４としては、ガイドバー２３，２４，２０２３，２０２４，４０２３，４０２４，４０２６を、矢印以外の形態にて表示させてもよいし、表示させないように変更してもよい。加えて、第一〜第四実施形態に関する変形例５としては、説明した形態以外のインジケータ２１，２０２１，４０２１，２２，２０２２，４０２２，４０２５を、図１１に示すように表示させてもよいし、表示させなくてもよい。尚、図１１は、第二実施形態に関する変形例５として、風量Ｂの段階（５段階の例）をグラフ状に表示する風量インジケータ２０２２’を、示している。
【００６５】
また加えて、第一〜第四実施形態に関する変形例６としては、「所定機器」としての空調装置４に入力する「制御パラメータ」は、例えば内外気の取り入れ率等、説明のもの以外の設定値であってもよい。さらに加えて、第一〜第四実施形態に関する変形例７としては、空調装置４以外の装置、例えばナビゲーション装置、オーディオ装置、メータ装置等を「所定機器」として採用してもよく、この場合の「制御パラメータ」も、当該採用装置に応じた各種の設定値であってもよい。
【符号の説明】
【００６６】
１  入力装置、２  制御パネル、３  制御回路、４  空調装置、２０，２０２０，３０２０，４０２０  回転ダイヤル、２１，２０２１，４０２１  温度インジケータ、２２，２０２２，４０２２  風量インジケータ、２３，２０２３，４０２３  温度ガイドバー、２４，２０２４，４０２４  風量ガイドバー、４０２５  風向きインジケータ、４０２６  風向きガイドバー、４０２８  表示パネル、Ｂ  風量、Ｔ  空調温度、Ｖｔｈ  閾値、Ｖｔｈ１  第一閾値、Ｖｔｈ２  第二閾値
【図１】
2014074506.tif 000003
【図２】
2014074506.tif 000004
【図３】
2014074506.tif 000005
【図４】
2014074506.tif 000006
【図５】
2014074506.tif 000007
【図６】
2014074506.tif 000008
【図７】
2014074506.tif 000009
【図８】
2014074506.tif 000010
【図９】
2014074506.tif 000011
【図１０】
2014074506.tif 000012
【図１１】
2014074506.tif 000013